(57)【特許請求の範囲】
【請求項１】
移動体通信機（１）用の固定装置であって、本固定装置（６）を前記移動体通信機（１）に結合する結合手段（９）と、衣服またはベルトに本固定装置を固定する固定手段（８、１１、８１）とを含んだ固定装置において、
前記移動体通信機は、自動車アンテナタイプの外部アンテナへの接続用の少なくとも一つのコネクタ（５）を持つ開口部（４）を備え、
前記結合手段が、前記開口部と協働しコネクタをカバーできるように構成され、
前記結合手段が、第１の分枝（７）に配置され、
前記固定手段が、第２の分枝（８）に配置され、並びに、
該２個の分枝（７，８）が、共通な第一の端（１０）で結合し及び共通な長さにわたってほぼ平行であることを特徴とする、移動体通信機（１）用の固定装置。
【請求項２】
コネクタが、プラグ（５）から構成され、結合手段が連結スリーブ（９）を含むことを特徴とする請求項１に記載の固定装置。
【請求項３】
結合手段が、円周に沿って複数の弧を含むことを特徴とする請求項１に記載の固定装置。
【請求項４】
前記移動体通信機に結合するための前記第１の分枝の第二の端（７１）が自由端であって、前記第二の端の外面に前記結合手段を有することを特徴とする請求項１から３のいずれか一項に記載の固定装置。
【請求項５】
衣服またはベルトに固定される前記第２の分枝（８）の自由端（８１）の構成および形状が、衣服またはベルトが前記２個の分枝の間に挿入される時に、該自由端が反対方向に挟む力を及ぼせるように構成されることを特徴とする請求項１に記載の固定装置。
【請求項６】
前記移動体通信機に結合される前記第１の分枝が、衣服またはベルトに固定される前記第２の分枝よりも短く、長い方の分枝の自由端側への延長部分が、他方の分枝側に湾曲しており、長い方の分枝の自由端が、短い方の分枝とほぼ同じ面に置かれるようにされることを特徴とする請求項４または５に記載の固定装置。
【請求項７】
衣服またはベルトに固定される分枝の自由端は、固定装置が移動体通信機に結合されるときに、該自由端と移動体通信機の背面との間の自由空間を低減する手段（１１）を有することを特徴とする請求項４から６のいずれか一項に記載の固定装置。
【請求項８】
自由空間の低減手段が、均一に挟む力を与えるように構成された、衣服またはベルトに固定される分枝の内面突出部（１１）からなることを特徴とする請求項７に記載の固定装置。
【請求項９】
移動体通信機に前記固定装置を保持する保持手段（１２）を含むことを特徴とする請求項１から８のいずれか一項に記載の固定装置。
【請求項１０】
保持手段が、移動体通信機の外部アンテナを囲む剛性のカラーからなることを特徴とする請求項９に記載の固定装置。
【発明の詳細な説明】
【０００１】
【発明の属する技術分野】
本発明は、移動体通信機用の固定装置の領域に関し、特に、移動体通信機に前記固定装置を結合する結合手段と、衣服またはベルトに固定装置を固定する固定手段とを含む、移動体通信機用の固定装置に関する。
【０００２】
【従来の技術】
ユーザの上着やシャツのポケット、またはベルトの位置に移動体電話を固定するために、一般にポケットクリップと呼ばれる固定装置が使用されている。
【０００３】
ポケットクリップは、通常、クランプから構成される。クランプは、クランプと電話とを結合するために設けられて、電話背面の対応手段と協働する手段を含む、本体からなる。また、ユーザが及ぼす圧力によりベルトまたは布から取り外し可能な舌片を含む。そのため、たとえばベルトに固定されたクリップは、結合される通信機の重みによってベルトに保持される。
【０００４】
しかしながら、このようなクリップは、前述のように、電話に対して固定機能を保証するにすぎない付属品である。
【０００５】
【発明が解決しようとする課題】
本発明は、本出願の序文で規定したような固定装置が確保する固定機能に、従来技術では別の付属品によって確保されていた技術的な第二の機能を結合することを目的とする。
【０００６】
【課題を解決するための手段】
このため、本発明は、移動体通信機用の固定装置であって、移動体通信機に前記固定装置を結合する結合手段と、衣服またはベルトに固定装置を固定する固定手段とを含み、自動車アンテナタイプの外部アンテナへの接続用の少なくとも一つのコネクタを持つ開口部を備え、結合手段が、開口部と協働しコネクタをカバーできるように構成されていることを特徴とする固定装置を目的とする。
【０００７】
かくして、本発明は、一般に、非使用時に開口部に配置される保護キャップに代替可能である。このため、本発明では、こうした保護キャップが不要となるので、製造業者にとっては、このような保護キャップを製造して供給する必要がなくなり、最終ユーザにとって、このような小型付属品を損失するおそれに注意が乱されることがなくなるという長所が得られる。
【０００８】
本発明は、固定機能に加えて、使用していない時に開口部が自由空間で開いたまま保持される場合、ＲＦコネクタが被りうる衝撃と、ＲＦコネクタが引き起こす信号の損失とに対して、保護機能を果たすものである。さらに、本発明の結合手段が協働しＲＦコネクタをカバーするので、ＲＦコネクタが同様に隠され、それによって装置の美観が改善され、装置の商業的な成功がさらに高められる。
【０００９】
一実施形態によれば、コネクタはプラグから構成され、結合手段は連結スリーブを含む。
【００１０】
一実施形態によれば、結合手段は、円周に沿って複数の弧を含む。
【００１１】
一実施形態によれば、本発明による装置は、前記結合手段によって通信機に結合するための分枝と、前記固定手段によって衣服またはベルトに固定するための分枝とを含み、２個の分枝が、共通な第一の端に結合され、通信機に結合される分枝の第二の端が、自由端であって、第二の端の外面に結合手段を有する。
【００１２】
一実施形態によれば、衣服またはベルトに固定される分枝の自由端の構成および形状が、衣服またはベルトが２個の分枝の間に挿入される時に、この自由端が反対方向に挟む力を及ぼせるように構成される。
【００１３】
一実施形態によれば、通信機に結合される分枝が、衣服またはベルトに固定される分枝よりも短く、２個の分枝は、共通な長さにわたってほぼ平行であり、長い方の分枝の自由端側への延長部分が、他方の分枝側に湾曲しており、長い方の分岐の自由端が、短い方の分枝とほぼ同じ面に置かれるようにされている。
【００１４】
実施形態によれば、前記挟む力を強化するために、衣服またはベルトに固定される分枝の自由端は、本発明による固定装置が通信機に結合されるときに、この自由端と通信機の裏面との間の自由空間を低減する手段を有する。たとえば、こうした自由空間の低減手段は、均一に挟む力を与えるように構成された、衣服またはベルトに固定される分枝の内面突出部からなる。
【００１５】
一実施形態によれば、本発明による固定装置は、通信機に前記装置を保持する保持手段を含む。
【００１６】
一実施形態によれば、これらの保持手段が、通信機の外部アンテナを囲む剛性のカラーからなる。
【００１７】
本発明は、以下の説明を読み、添付図を参照すれば、いっそう理解されるであろう。これらは、少しも限定的なものではなく、本発明を例として示しているにすぎない。
【００１８】
本出願では、異なる図で同じ機能を果たす要素には同じ参照符号を付している。
【００１９】
【発明の実施の形態】
図１には、従来の移動体電話の背面図を示した。この図では、電話のハウジング３の内部の送受信機（通常、送信機と呼ばれる。図示せず）に接続され、ネットワークとの双方向通信を可能にする外部アンテナ２を示した。外部アンテナは、一般に、環境の有害作用（衝撃、雨水等）からの保護と美観とを理由として、プラスチック製のカバーで覆われている。
【００２０】
電話のユーザが、同様に外部アンテナを備えた場所、たとえば自動車の車内にいることがある。良質の信号を送受信可能にするには、一般に、同軸ケーブルを介して、無線周波数コネクタ５を備えた開口部４を、車両の外部アンテナに接続する。コネクタ５は、電話の送信機に接続されるため、通信信号を送ることができる。一般に、ユーザは、快適性のためにハンドルの付近に固定される電話ホルダ（「ｃａｒ−ｋｉｔ」）を使用して電話を置く。電話を電話ホルダに挿入するとき、コネクタと電話ホルダの対応する手段との間で電気接続が行われる。この手段は、さらにケーブルに接続され、ケーブル自体が車両のアンテナに接続される。
【００２１】
図２は、本発明の実施形態による固定装置６の斜視図である。この装置は、第一の分枝７と、第一の分枝よりも長い第二の分枝８とを含む。２個の分枝は、共通端１０の位置で結合され、一方、分枝の個々の他端７１、８１は、自由端である。分枝７は、電話１に結合されるように構成される。これは、図３に示すように、分枝７の自由端の外面に配置される連結スリーブ９を、電話１の開口部４に挿入することによって行われる。このスリーブは、中空の円筒形であり、コネクタ５をカバーしながら円筒開口部４内に有効に挿入可能な直径を有し、それによって前述のような保護を可能にする。もちろん、図示されていない変形実施形態によれば、スリーブ９の代わりに、本発明による他の結合手段を検討することも可能であり、開口部への挿入を可能にするために開口部４の直径よりも小さい直径の円周に複数の弧が沿った、２個の半月形などを検討できる。
【００２２】
第二の分枝８は、第一の分枝７の長さにわたって第一の分枝とほぼ平行な面にあり、自由端８１に向かう延長部分が、自由端８１を第一の分枝７と同一の面に置くように、分枝７側に湾曲している。このため、図３に示したようにスリーブを開口部に挿入し、ユーザのシャツの布が２個の分枝の間に挿入される場合、自由端８１が布に挟む力を及ぼして、電話の背面に対して布を押圧する。かくして、布は、２個の分枝と電話の背面との間で挟まれ、落ちるおそれがない。さらに、ユーザが挟む力とは反対の方に圧力を及ぼすことによって、シャツの布から取り外すことができる。挟む分枝の構成は、この締め付け機能を可能にするとともに、ねじり作用に対抗するように検討される。たとえば、装置は、プラスチック製の一体成形ブロックから形成されるため、単一製造プロセス後に得ることができる。キャップを分離して製造することが必要不可欠であった従来技術に比べて、これは、本発明の補足的な特徴である。
【００２３】
自由端８１は、さらに、分枝７側に向いた内面に、中実なアーチ１１を有する。これらのアーチによって、自由端８１と電話の背面との間の自由空間が低減されるので、２個の分枝の間に配置される衣服を挟む力に確実に寄与することができる。
【００２４】
固定装置６は、２個の分枝の共通端に、固定装置６と電話との強い結合を保つ役割をする保持カラー１２を含む。ユーザは、このカラーをアンテナ２の上部に通してから、アンテナ２の下部に固定する。その後でスリーブの背面を押すことによって、開口部４を塞ぎ、図３に示したような状態にアセンブリを配置して、衣服またはベルトに固定する準備ができる。
【００２５】
もちろん、本発明は、上記の実施形態に制限されるものではない。前述のように、結合手段は、考えられるあらゆる形状にすることができる。アーチ１１は、自由端８１の内面に配置されて、自由端８１と電話の背面との間の自由空間を低減可能な、他のあらゆる手段に代えてもよい。衣服の布またはベルトにこの自由端を接合する手段を付加することも可能である。
【図面の簡単な説明】
【図１】従来の移動体電話の背面図である。
【図２】本発明の実施形態による固定装置の斜視図である。
【図３】図２の固定装置を備えた移動体電話の背面斜視図である。
【符号の説明】
１  移動体通信機
２  外部アンテナ
３  ハウジング
４  開口部
５  コネクタ
６  固定装置
７  第一の分枝
８  第二の分枝
９  連結スリーブ
１０  第一の端
１１  内面突出部
１２  保持手段
７１  第二の端
８１  分枝の自由端
【図１】
0004855591.tif 000002
【図２】
0004855591.tif 000003
【図３】
0004855591.tif 000004